(57)【要約】【課題】より簡単または小型の構成で、展開状態においてより高いフ−ド効果を得ることが可能なフードキャップを提供する。【解決手段】カメラのレンズ１００の先端に設けられ、撮影時にはレンズフードとして機能し、非撮影時にはキャップとして機能するフードキャップ１であって、レンズ外周に設けられたリング４の回動に連動して、レンズ先端外周に設けられた４枚の羽根２ａ〜２ｄが開閉してレンズ表面を覆いまたは開放する。そして、４枚の羽根２ａ〜２ｄのさらに外周側には固定フード３が設けられており、対向する一組の羽根である主羽根２ａ及び２ｃの長さは、その他の羽根である副羽根２ｂ及び２ｄの長さと比較して長く、また、全ての羽根は、レンズ表面を開放した状態で固定フード３の先端より前方に位置するように構成されている。【選択図】図１
2013101180.tif 000002
【特許請求の範囲】
【請求項１】
カメラのレンズの先端に設けられ、撮影時にはレンズフードとして機能し、非撮影時にはキャップとして機能するフードキャップであって、
前記レンズの先端において、前記レンズの外周に配置された周方向の回転軸を有し、該回転軸を中心に回動する複数枚の羽根と、
前記レンズと同軸の状態で該レンズの外周に回動可能に配置されたリングと、
前記リングの回動と連動して前記複数枚の羽根を回動させることで、前記複数枚の羽根が閉じて前記レンズの表面を覆う折り畳み状態と、前記複数枚の羽根が開いて前記レンズの表面を開放するとともにレンズ側面からの光の入射を妨げる展開状態と、を切り換える連動機構と、
前記展開状態における前記複数枚の羽根の外周側から前記レンズの側面を囲い、レンズ側面からレンズへの光の入射を妨げる固定フードと、
を備え、
前記複数枚の羽根のうち、互いに対向する一組の羽根である主羽根の前記回転軸に直交する方向の長さは、該主羽根以外の前記羽根である副羽根の長さより長く、
前記展開状態においては、前記複数枚の羽根の先端は、各々の羽根の位置における前記固定フードの先端よりも前方に位置することを特徴とするフードキャップ。
【請求項２】
前記複数枚の羽根は前記展開状態側に回動するように付勢され、
前記複数枚の羽根は、前記回転軸の周囲に、前記羽根の展開状態において前記回転軸との距離が最も遠く、前記羽根が閉じるに従って前記回転軸との距離が近くなるようなカム曲面を有し、
前記リングは前記カム曲面と対向する面に前記羽根と同数のカム斜面を有し、
前記連動機構は、前記リングの回動に伴い、前記カム斜面が直接または間接的に前記羽根のカム曲面を押圧することによって前記羽根を閉じ側に回動させる機構であることを特徴とする請求項１に記載のフードキャップ。
【請求項３】
前記リングは、前記回転軸の光軸方向後側に配置され、
前記カム斜面は、光軸方向後側から前記カム曲面を押圧し、
押圧時の押圧力の作用線は前記回転軸を通過することを特徴とする請求項２に記載のフードキャップ。
【請求項４】
前記連動機構は、前記展開状態から折り畳み状態への切り換え時に、前記主羽根のうちの一方、前記主羽根のうちの他方、前記副羽根の順番で閉じるような位相差を有しており、
前記折り畳み状態において、前記複数枚の羽根が互いに重なることで隙間なくレンズの表面を覆うことを特徴とする請求項１から３のいずれか一項に記載のフードキャップ。
【請求項５】
前記カム斜面は、前記リングにおける前記カム曲面と対向する面に、少なくとも前記カム曲面を押圧する方向に対する弾性を有する弾性部材を取り付けることで形成されることを特徴とする請求項２または３に記載のフードキャップ。
【請求項６】
前記展開状態において、前記複数枚の羽根は、前記固定フードに当接することにより位置規制されることを特徴とする請求項１から５のいずれか一項に記載のフードキャップ。
【請求項７】
前記レンズの鏡筒に内蔵されたことを特徴とする請求項１から６のいずれか一項に記載のフードキャップ。
【発明の詳細な説明】
【技術分野】
【０００１】
本発明は、カメラのレンズを保護する為のキャップとレンズフードの機能を備えたフードキャップに関する。
【背景技術】
【０００２】
通常、カメラレンズのキャップは、撮影時にはレンズから取り外すようになっており、撮影時の取り扱いが不便で紛失し易いなどの不都合があった。また、レンズフードは非撮影時にもカメラレンズの前方に張り出しておりカメラの携帯性を損なう場合があった。これに対し、撮影時にはレンズフードとして機能し、非撮影時にはレンズキャップとして機能するレンズフード兼用のキャップ（以下、フードキャップという。）が提案されている。
【０００３】
フードキャップに関する技術としては、複数枚の羽根の根元の回転軸まわりに円筒状部材を有し、この円筒状部材にはカム溝が切ってあり、回転リングにその羽根の数と同数個埋め込まれたピンがそのカム溝に挟まれた構成が公知である。この構成では、回転リングの操作に伴い各羽根が開閉し、開いた時はレンズフード、閉じた時はレンズバリア（キャップ）となる。このフードキャップに関する技術は、レンズの為のフードまたはキャップとしてカメラの使用状況に応じて使い分けることを可能にするものであった（例えば、特許文献１参照。）。
【０００４】
また、羽根を開いたとき角度が安定し、フード状態で開方向に力を加えても所定角度までは破損せず、羽根を閉じる際は所定の順序で閉じてしかも確実に閉じるようなレンズフード兼用キャップを提供するために、羽根を回転式のリングによって連動し所定順序で各羽根を開閉でき、このリングと羽根の連動は、リングに突設されたピンを各羽根のカム部とチャージカムとの間のカム溝に沿って摺動可能に係合させるものが提案されている（例えば、特許文献２参照）。
【０００５】
しかし、前者のフードキャップにおいては、羽根を展開した状態（以下、展開状態ともいう。）では、フード形状が略円筒状となるために、ズームレンズに装着した場合に、広角側と望遠側の両方においてケラレを防止しつつ充分なフード効果を得ることが困難な場合があった。また、複数枚の羽根の根元の回転軸まわりには円筒状部材を有するために、フードキャップ全体の小型化が制限されていた。また、後者のフードキャップにおいては、展開状態においては、羽根と羽根との間に隙間が生じるために、充分なフード効果が得られない場合があった。また、前者のフードキャップと同様、複数枚の羽根の根元の回転軸まわりには円筒状部材を有するために、フードキャップ全体の小型化が制限されていた。
【先行技術文献】
【特許文献】
【０００６】
【特許文献１】米国特許第４,４１５,２４２号明細書
【特許文献２】特開２００２−７２２８９号公報
【特許文献３】特開２００４−１０９８０８号公報
【発明の概要】
【発明が解決しようとする課題】
【０００７】
本発明は、上記の現状に鑑みて案出されたものであり、その目的は、より簡単または小型の構成で、展開状態においてより高いフ−ド効果を得ることが可能なフードキャップを
提供することである。
【課題を解決するための手段】
【０００８】
上記課題を解決するための本発明は、カメラのレンズの先端に設けられ、撮影時にはレンズフードとして機能し、非撮影時にはキャップとして機能するフードキャップであって、レンズの外周部に設けられたリングの回動に連動して、レンズ先端の外周部に設けられた複数枚の羽根が開閉してレンズ表面を覆いまたは開放する。そして、複数枚の羽根のさらに外周側には固定フードが設けられており、対向する一組の羽根である主羽根の長さ（レンズを開放した状態におけるレンズ光軸方向の長さ）は、その他の羽根である副羽根の長さと比較して長く、また、全ての羽根は、レンズ表面を開放した状態で固定フードの先端より前方に位置するように構成されていることを最大の特徴とする。
【０００９】
より詳しくは、カメラのレンズの先端に設けられ、撮影時にはレンズフードとして機能し、非撮影時にはキャップとして機能するフードキャップであって、
前記レンズの先端において、前記レンズの外周に配置された周方向の回転軸を有し、該回転軸を中心に回動する複数枚の羽根と、
前記レンズと同軸の状態で該レンズの外周に回動可能に配置されたリングと、
前記リングの回動と連動して前記複数枚の羽根を回動させることで、前記複数枚の羽根が閉じて前記レンズの表面を覆う折り畳み状態と、前記複数枚の羽根が開いて前記レンズの表面を開放するとともにレンズ側面からの光の入射を妨げる展開状態と、を切り換える連動機構と、
前記展開状態における前記複数枚の羽根の外周側から前記レンズの側面を囲い、レンズ側面からレンズへの光の入射を妨げる固定フードと、
を備え、
前記複数枚の羽根のうち、互いに対向する一組の羽根である主羽根の前記回転軸に直交する方向の長さは、該主羽根以外の前記羽根である副羽根の長さより長く、
前記展開状態においては、前記複数枚の羽根の先端は、各々の羽根の位置における前記固定フードの先端よりも前方に位置することを特徴とする。
【００１０】
これによれば、カメラの受光面が長方形である場合に、主羽根の位置を長方形の長辺側に合わせることで、展開状態において、受光面における短辺側のケラレを防止しつつ、より確実にフード効果を奏することが可能となる。また、本発明においては複数の羽根の外側に固定フードを有しているので、羽根と羽根の間の領域から光がレンズに入射することを抑制でき、羽根と羽根の間の領域においても充分なフード効果を得ることが可能となる。
【００１１】
また、本発明においては、前記複数枚の羽根は前記展開状態側に回動するように付勢され、
前記複数枚の羽根は、前記回転軸の周囲に、前記羽根の展開状態において前記回転軸との距離が最も遠く、前記羽根が閉じるに従って前記回転軸との距離が近くなるようなカム曲面を有し、
前記リングは前記カム曲面と対向する面に前記羽根と同数のカム斜面を有し、
前記連動機構は、前記リングの回動に伴い、前記カム斜面が直接または間接的に前記羽根のカム曲面を押圧することによって前記羽根を閉じ側に回動させる機構としてもよい。
【００１２】
すなわち、複数枚の羽根は上述のようにレンズの外周部において周方向の回転軸を有しており、該回転軸を中心に開閉する。そして、各々の羽根は、回転軸の周囲に、羽根の展開状態において回転軸との距離が最も遠く、羽根が閉じるに従って回転軸との距離が近くなるようなカム曲面を有している。また、リングは、カム曲面と対向する面に、羽根の数と同数のカム斜面を有している。そして、連動機構は、リングの回動に伴い、カム斜面が
直接または間接的に羽根のカム曲面を押圧することによって羽根を閉じ側に回動させる。
【００１３】
これによれば、リングを回動させることでリングのカム斜面を上述の羽根のカム曲面に押圧させることで、各々の羽根は、付勢力に抗して、曲面の回転軸までの距離が短くなるような方向、すなわち閉じ側に回動することとなる。リングをこれと逆側に回動させれば、カム斜面はカム曲面から離間する方向に移動し、各々の羽根は付勢力によって開き側に回動することとなる。すなわち本発明によれば、リングに設けられたカム斜面で各羽根に設けられたカム曲面を押圧するという簡単な構成で、複数枚の羽根の展開状態と折り畳み状態とを切り換えることが可能となる。その結果、例えば、カム溝を有する円筒形部材などの複雑な部品を必要とせず、機構を簡略化することができる。
【００１４】
また、その際に、前記リングは、前記回転軸の光軸方向後側に配置され、前記カム斜面は、光軸方向後側から前記カム曲面を押圧し、押圧時の押圧力の作用線は前記回転軸を通過するようにしてもよい。これによれば、カム斜面でカム曲面を押圧し、回転軸回りのモーメントを生じさせるのではなく、カム曲面を回転軸の方向に押圧することで羽根を回動させることができる。従って、装置のレンズ半径方向の幅を小さくすることができる。その結果、装置の小型化を実現することが可能となる。
【００１５】
また、本発明において前記連動機構は、前記展開状態から折り畳み状態への切り換え時に、前記主羽根のうちの一方、前記主羽根のうちの他方、前記副羽根の順番で閉じるような位相差を有しており、前記折り畳み状態において、前記複数枚の羽根が互いに重なることで隙間なくレンズの表面を覆うようにしてもよい。これによれば、折り畳み状態においてより確実にレンズを保護することが可能となる。なお、本発明では前記リングのカム斜面の位置を相対的にずらすだけで、より簡単に、より高い自由度で位相差を設定することが可能となっている。
【００１６】
また、本発明においては、前記カム斜面は、前記リングにおける前記カム曲面と対向する面に、少なくとも前記カム曲面を押圧する方向に対する弾性を有する弾性部材を取り付けることで形成されるようにしてもよい。これによれば、各カム斜面の位置を容易に微調整することが可能であり、前記連動機構における位相を容易に調整することが可能となる。また、例えば、展開状態から折り畳み状態への切り換え中に羽根に負荷がかかるなどの原因で、各カム斜面に過大な力が作用した場合には、上記弾性部材が変形することにより、上記連動機構や羽根が破損することを回避できる。
【００１７】
また、本発明においては、前記展開状態において、前記複数の羽根は、前記固定フードに当接することにより位置規制されるようにするとよい。これによれば、各々の羽根の開き側のストッパを他に設ける必要がなく、機構を簡略化することができる。さらに、各々の羽根と固定フードとを一体化させることが可能で、より安定したフード効果を得ることが可能になる。
【００１８】
また、本発明のフードキャップは、カメラのレンズに脱着可能に取り付けてもよいし、前記レンズの鏡筒に内蔵されるようにしてもよい。フードキャップをレンズの鏡筒に内蔵させることで、レンズの初期化動作やズーム動作と一緒にまたは連動して展開状態と折り畳み状態とを切り換えることが可能になる。
【００１９】
なお、上記の手段は、可能な限り互いに組み合わせて使用することができる。
【発明の効果】
【００２０】
本発明によれば、カメラのレンズの先端に設けられ、撮影時にはレンズフードとして機能し、非撮影時にはキャップとして機能するフードキャップにおいて、より簡単または小
型の構成によって、展開状態でより高いフ−ド効果を得ることが可能となる。
【図面の簡単な説明】
【００２１】
【図１】本発明のフードキャップの折り畳み状態及び、展開状態を説明するための図である。
【図２】本発明のフードキャップの連動機構付近を示す断面図である。
【図３】本発明のフードキャップの連動機構付近における断面Ｂ−Ｂを示す図である。
【図４】本発明の羽根の回転軸付近の拡大図である。
【図５】本発明のフードキャップの連動機構の作動について説明するための図である。
【発明を実施するための形態】
【００２２】
以下、本発明の実施の形態について、図面を参照して詳細に説明する。
【００２３】
〔実施例１〕
図１は、本実施例に係るフードキャップ１をカメラレンズ１００に取り付けた様子を示す斜視図である。図１（ａ）はフードキャップ１の羽根２ａ〜２ｄを全閉した状態（折り畳み状態）を示す。図１（ｂ）はフードキャップ１の羽根２ａ〜２ｄを全開した状態（展開状態）を示す。フードキャップ１は、図示しないマウント部によってカメラレンズ１００の先端部に取り付けられている。もちろん、フードキャップ１をネジ込み式の取り付け機構を採用しても構わない。
【００２４】
図１（ａ）に示す折り畳み状態においては、フードキャップ１はキャップとして機能する。すなわち、羽根２ａ〜２ｄが全閉することにより、レンズ１００の表面をカバーしている。なお、本実施例の羽根２ａ〜２ｄは、主羽根２ａ及び２ｃと、副羽根２ｂ及び２ｄからなる。主羽根２ａ及び２ｃはレンズ周方向の幅は副羽根２ｂ、２ｄと比較して幅広となっている。また、展開状態におけるレンズ前後方向（レンズ光軸方向）の長さも主羽根２ａ及び２ｃの方が、副羽根２ｂ及び２ｄと比較して長くなっている。
【００２５】
そして、折り畳み状態においては主羽根２ａ及び２ｃの先端どうしが重なり、主羽根２ａと２ｃとで、レンズ表面の中央部を隙間なくカバーできるようになっている。一方、副羽根２ｂ及び２ｄは、折り畳み状態において主羽根２ａ及び２ｃでカバーした範囲の側面を、主羽根２ａ及び２ｃに副羽根２ｂ及び２ｄの先端が重なるようにカバーする。すなわち、折り畳み状態において羽根２ａ〜２ｄによって、レンズ表面の全面が隙間なくカバーされる。
【００２６】
なお、本実施例におけるフードキャップ１は、羽根２ａ〜２ｄの外側に固定フード３を有している。この固定フード３は、フードキャップ１の外周全周に亘って設けられており、主羽根２ａ及び２ｃに相当する部分は、従羽根２ｂ及び２ｄに相当する部分と比較してフード高さが高くなるように構成されている。
【００２７】
図１（ｂ）に示す展開状態においては、フードキャップ１はレンズフードとして機能する。展開状態において羽根２ａ〜２ｄは全開されておりレンズ表面が開放されている。ここで、主羽根２ａ及び２ｃは展開状態において互いに対向する位置に設けられているが、カメラの受光部が長方形の場合に、主羽根２ａ及び２ｃが受光部の長辺側に位置するように、フードキャップ１のレンズ光軸回りの取り付け角度が調整されている。これにより、カメラの受光部の長辺側については幅広で長い主羽根２ａ及び２ｃによって、より大きなフード効果を得ることが可能である。また、撮影画像の短辺側については、比較的幅が狭く長さも短い副羽根２ｂ及び２ｄによってフード効果を得るとともに、ケラレが発生する
ことを防止している。
【００２８】
また、本実施例では、固定フード３が設けられているので、主羽根２ａ及び２ｃと、副羽根２ｂ及び２ｄとの隙間部分から光がレンズ内に入射し、フード効果が損なわれることが防止されている。また本実施例では、羽根２ａ〜２ｄは固定フード３の先端部分に当接することで、全開時の位置が規制されている。これにより、展開状態において羽根２ａ〜２ｄの位置を規制する部材を別途設ける必要がなくなり、装置の構成を簡略化することが可能となる。また、羽根２ａ〜２ｄと固定フード３とをより一体化することが可能となり、フードとしての機能を安定化させることが可能である。なお、フードキャップ１にはリング４が設けられており、使用者がこのリング４を回動させることにより展開状態と折り畳み状態とを切り換えることが可能となっている。
【００２９】
図２には、副羽根２ｂ側から見た、折り畳み状態におけるフードキャップ１の断面図を示す。簡単のため、レンズ光軸Ａに対し主羽根２ａ側の半分のみを示している。なお、以下の説明は４枚の羽根のうち主羽根２ａについて行うが、他の３枚の羽根についても同様の説明が適用可能である。また、図３には、図２におけるＢ−Ｂ断面を示す。図２及び図３から分かるように、主羽根２ａは回転軸２０ａの回りに回動可能なようにフードキャップ本体１ａに支持されている。実際には回転軸２０ａは、主羽根２ａの回転軸支持部２０ｂに設けられた貫通孔にピン２０ｃを貫通させ、このピン２０ｃをフードキャップ本体１ａに固定することで形成されている。また、主羽根２ａは図示しない付勢バネによって、開き側に回動するよう付勢されている。
【００３０】
また、リング４はフードキャップ本体１ａに対し摺動しつつレンズ光軸Ａの回りに回動が可能なように嵌めこまれている。また、このリング４は、カム基準面４ａを有する。このカム基準面４ａは、レンズ光軸方向前方に設けられている。そして、このカム基準面４ａには、弾性部材６が取り付けられており、この弾性部材６によってリング４を所定方向（閉じ方向）に回動させると面高さが徐々に高くなるようなカム斜面６ａが形成されている。
【００３１】
また、このリング４における弾性部材６の上側（レンズ先端側）には、カム斜面６ａの高さの変化に伴ってフードキャップ本体１ａ内でレンズ光軸方向に移動する往復部材５が設けられている。この往復部材５は、リング４を操作者が回動させて弾性部材６のカム斜面６ａがレンズ周方向に移動しつつ高さが変化した場合にも、レンズ周方向には移動しないようにフードキャップ本体１により位置が規制されており、レンズ光軸方向（前後方向）にのみ移動する。また、往復部材５はレンズ径方向については、回転軸２０ａに相当する部分において主羽根２ａと当接するように位置規制されている。
【００３２】
図４には、主羽根２ａの回転軸２０ａ近傍の拡大断面図を示す。回転軸支持部２０ｂにおいて、往復部材５が当接可能な部分には、カム曲面２０ｄが形成されている。このカム曲面２０ｄは、回転軸２０ａと平行方向については断面が直線となるように形成されている。また、回転軸２０ａと直交する断面（図４に示す断面）においては、回転軸２０ａとの距離が折り畳み状態において最も小さくなり（Ｒ１）、主羽根２ａが開くに従って、回転軸２０ａとの距離が増加し、展開状態において最も大きくなる（Ｒ３）ように形成されている。
【００３３】
図５は、フードキャップ１の作動機序を説明するための図である。図５において、展開状態から、操作者がリング４を、カム斜面６ａが高くなる方向（所定方向）に回動させた場合について考える。展開状態においては、回転軸２０ａとカム曲面２０ｄとの距離は最も長いＲ３となっているので、往復部材５は、カム斜面６ａ側に移動している。そして、リング４の回動とともに、往復部材５が、カム斜面６ａに押し上げられて回転軸支持部２
０ｂのカム曲面２０ｄを押圧する。そうすると、主羽根２ａは、カム曲面２０ｄと回転軸２０ａとの距離が短くなる方向、すなわち、閉じ方向に、図示しないバネによる付勢力に抗して回動する。そして、リング４を一杯まで回動させることで、カム斜面６ａの高さは最大高さとなる。この場合に、カム曲面２０ｄと回転軸２０ａとの距離が最小値Ｒ１となるように主羽根２ａが最も閉じ側まで回動し、折り畳み状態となる。
【００３４】
なお、この動作においては、カム斜面６ａが往復部材５を介して間接的にカム曲面２０ｄを押圧しており、その際の作用線は、ほぼ回転軸２０ａを通過している。カム曲面２０ｄの形状によっては、作用線が回転軸２０ａから若干ずれる場合がある。しかしながら本実施例では、そのような場合でも、回転軸２０ａを中心としてモーメントによって主羽根２ａを回動させるのではなく、飽くまでカム曲面２０ｄと回転軸２０ａの距離と、往復部材５の位置との関係によって主羽根２ａを回動させることを趣旨としている。このような場合を含めて、本明細書においては、カム斜面６ａが往復部材５を介して間接的にカム曲面２０ｄを押圧する際の作用線が、回転軸２０ａを通過していると表現する。
【００３５】
次に、折り畳み状態から、操作者がリング４を逆に回動させた場合には、カム斜面６ａの高さが低くなっていく。この作動に応じて、主羽根２ａは、図示しないバネの付勢力によって開き側に回動し、カム曲面２０ｄによって往復部材５をカム面４ａ側に押し下げる。そして、リング４が最も開き側まで回動された場合には、主羽根２ａが完全に開き側にまで回動し全開する。これにより展開状態とすることが可能となる。
【００３６】
なお、本実施例におけるリング４には、羽根２ａ〜２ｄを回動させるためのカム斜面６ａが４箇所（羽根２ｂ〜２ｄに対応するカム斜面は各々カム斜面６ｂ〜６ｄとする。）設けられている。そして、４枚の羽根２ａ〜２ｄが全閉した折り畳み状態から全開した展開状態まで変化させる。しかしながら、羽根２ａ〜２ｄを全閉させる際に、各々の羽根の位相が同じである場合には、羽根どうしが全閉する前に衝突して閉じなくなる問題が生じる。
【００３７】
これに対し、本実施例では、羽根２ａ〜２ｄを駆動させるためのカム斜面６ａ〜６ｄは微妙に位相をずらせている。すなわち、展開状態から折り畳み状態への切り換え時について考えると、主羽根２ａを駆動させるカム斜面６ａの位相が最も早く、次に主羽根２ｃを駆動させるカム斜面６ｃの位相を早く設定している。そして副羽根２ｂ及び２ｄを駆動させるカム斜面６ｂ及び６ｃの位相を最も遅くしている。
【００３８】
これによれば、羽根２ａ〜２ｄを全閉させる場合には、まず主羽根２ａが全閉し、次に主羽根２ｃが全閉する。なお、主羽根２ａの先端表面及び、主羽根２ｃの先端裏面には厚みを薄くした重なり部分が設けられている。これにより、この順番で主羽根２ａ及び主羽根２ｃが全閉することで、両者の間に隙間が生じないように、レンズをカバーすることができる。
【００３９】
主羽根２ａ及び２ｃが全閉した後には、副羽根２ｂ及び２ｄが両者に重なるように全閉する。主羽根２ａ及び２ｃの表面における、副羽根２ｂ及び２ｄが両者に重なり部分の厚みは薄く形成されており、副羽根２ｂ及び２ｄが、主羽根２ａ及び２ｃの上から閉じた場合に、隙間なくレンズ全面をカバーできるようになっている。なお、本実施例においては、カム斜面６ａ〜６ｄは、リング４のカム基準面４ａに弾性部材６を取り付けることにより形成しているので、各カム斜面６ａ〜６ｄの位相を容易に微調整することが可能である。また、各カム斜面６ａ〜６ｄに過大な力が作用した場合には、弾性部材６が変形することにより、回転軸２０ａや回転軸支持部２０ｂが破損することを回避できる。
【００４０】
なお、上記の実施例においては、リング４に設けられたカム斜面６ａが、往復部材５を
介して間接的にカム曲面２０ｄを押圧する例について説明したが、カム斜面６ａが直接的にカム曲面２０ｄを押圧するような構成にしても構わない。また、上記の実施例においてカム斜面６ａは、リング４のカム基準面４ａ上に、弾性部材６を固定する（実際にはねじ止め）ことで形成したが、カム斜面６ａは、必ずしも弾性を有する部材により形成する必要はない。金属または樹脂部材をカム基準面４ａに取り付けてカム斜面６ａを形成してもよいし、リング４のカム基準面４ａ自体の形状を変更してカム斜面６ａを形成してもよい。
【００４１】
また、上記の実施例において羽根２ａ〜２ｄは、例えばアクリルなどの樹脂素材により形成することが可能であるが、ゴムなどの可撓性を有する素材で形成しても構わない。そうすれば、展開状態から折り畳み状態に切り換える際に、誤って異物を侵入させたような場合にも、羽根自体が変形し、回転軸２０ａを始めとする機構の破損を回避することができる。なお、上記の実施例において、連動機構は、カム斜面６ａを有する弾性部材６、往復部材５、カム曲面２０ｄを含んで構成される。
【符号の説明】
【００４２】
１・・・フードキャップ
１ａ・・・フードキャップ本体
２ａ、２ｃ・・・主羽根
２ｂ、２ｄ・・・副羽根
３・・・固定フード
４・・・リング
４ａ・・・カム基準面
５・・・往復部材
６・・・弾性部材
６ａ・・・カム斜面
２０ａ・・・回転軸
２０ｂ・・・回転軸支持部
２０ｃ・・・ピン
２０ｄ・・・カム曲面
１００・・・カメラレンズ
Ａ・・・レンズ光軸
【図１】
2013101180.tif 000003
【図２】
2013101180.tif 000004
【図３】
2013101180.tif 000005
【図４】
2013101180.tif 000006
【図５】
2013101180.tif 000007